【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
数基のエレベータで構成されるエレベータ群と、
乗客が使用するエレベータを確保する乗客データ端末と、
該乗客データ端末からの信号に応じて前記エレベータを制御するエレベータ群制御システムとを含むエレベータ行先階登録システムでエレベータを割り当てる方法において、該方法は、
乗客グループの規模および行先階を前記エレベータ群の前記制御システムに入力する工程と、
１基または複数基のエレベータを前記グループの規模および行先階に基づいて乗客グループに割り当てる工程と、
前記乗客グループのメンバーに割り当てを案内する工程とを含むことを特徴とする方法。
【請求項２】
請求項１に記載の方法において、前記グループの規模および行先階の入力は、前記乗客データ端末によって行うことを特徴とする方法。
【請求項３】
請求項２に記載の方法において、前記乗客データ端末は、
−一般に使用されている乗客データ端末、
−移動局、
−データ通信網端末、
−電気通信網端末、および
−無線端末
のうちの１つの装置であることを特徴とする方法。
【請求項４】
請求項１または２に記載の方法において、前記乗客グループの規模および行先階は、ユーザに示されるメッセージに応じて入力することを特徴とする方法。
【請求項５】
請求項２または４に記載の方法において、前記乗客グループの規模および行先階は、前記乗客データ端末のユーザインタフェースを使用して入力することを特徴とする方法。
【請求項６】
請求項５に記載の方法において、前記乗客データ端末のユーザインタフェースは、
−グループ規模表示器、
−押しボタン、
−グループキー、
−ウインドウユーザインタフェース、および
−グループ規模定義キー
のうち少なくとも１つを含むことを特徴とする方法。
【請求項７】
請求項１に記載の方法において、前記割り当ては、前記エレベータの運転率および／または乗客サービスの効率を最適化して実行することを特徴とする方法。
【請求項８】
請求項７に記載の方法において、前記エレベータ運転率および乗客サービスの効率は、
−エレベータの利用率、
−エレベータのエネルギー消費、
−呼び時間、
−待ち時間、および
−移動時間
のうちの少なくとも１つの要素に基づいて決定することを特徴とする方法。
【請求項９】
請求項１に記載の方法において、前記割り当ては数学アルゴリズムを使用して実行することを特徴とする方法。
【請求項１０】
請求項１に記載の方法において、前記割り当ては、前記乗客グループ全体をなるべく少ない数のエレベータに配して実行することを特徴とする方法。
【請求項１１】
請求項１に記載の方法において、前記グループの規模を制限することを特徴とする方法。
【請求項１２】
請求項１に記載の方法において、前記割り当て後に、割り当てたエレベータのうちの１基または複数基を乗場レベルの前記グループが利用するために確保することを特徴とする方法。
【請求項１３】
請求項１に記載の方法において、前記案内の伝達は前記乗客データ端末を用いて行うことを特徴とする方法。
【請求項１４】
請求項１に記載の方法において、前記案内の伝達は電光表示板を用いて行うことを特徴とする方法。
【請求項１５】
請求項１に記載の方法において、前記案内の伝達はアナウンスを用いて行うことを特徴とする方法。
【請求項１６】
請求項１に記載の方法において、ピーク交通状態は前記グループ規模に応じて確認することを特徴とする方法。
【請求項１７】
数基のエレベータで構成されるエレベータ群と、
乗客が使用するエレベータを確保する乗客データ端末と、
該乗客データ端末からの信号に応じて前記エレベータを制御するエレベータ群制御システムとを含むエレベータ行先階登録システムにおいて、
前記乗客データ端末は、乗客グループの規模および行先階を受け付けて前記エレベータ群の制御システムに送るように備えられ、
該エレベータ群の制御システムは、前記グループの規模および行先階に基づいて１基または複数基のエレベータを該乗客グループに割り当てるように備えられ、
前記乗客データ端末は、前記乗客グループのメンバーに前記割り当てを案内するように備えられていることを特徴とするエレベータ行先階登録システム。
【請求項１８】
請求項17に記載のエレベータ行先階登録システムにおいて、前記乗客グループの規模および行先階は前記乗客データ端末によって入力することを特徴とするエレベータ行先階登録システム。
【請求項１９】
請求項18に記載のエレベータ行先階登録システムにおいて、前記乗客データ端末は、
−一般に使用されている乗客データ端末、
−移動局、
−データ通信網端末、
−電気通信網端末、および
−無線端末
のうちの１つの装置であることを特徴とするエレベータ行先階登録システム。
【請求項２０】
請求項17または18に記載のエレベータ行先階登録システムにおいて、前記乗客グループの規模および行先階は、ユーザに示されるメッセージに応じて入力することを特徴とするエレベータ行先階登録システム。
【請求項２１】
請求項18に記載のエレベータ行先階登録システムにおいて、前記乗客グループの規模および行先階は、前記乗客データ端末のユーザインタフェースを使用して入力することを特徴とするエレベータ行先階登録システム。
【請求項２２】
請求項21に記載のエレベータ行先階登録システムにおいて、前記乗客データ端末のユーザインタフェースは、
−グループ規模表示器、
−押しボタン、
−グループキー、
−ウインドウユーザインタフェース、および
−グループ規模定義キー
のうち少なくとも１つを含むことを特徴とするエレベータ行先階登録システム。
【請求項２３】
請求項17に記載のエレベータ行先階登録システムにおいて、前記割り当ては、前記エレベータの運転率および／または乗客サービスの効率を最適化して実行することを特徴とするエレベータ行先階登録システム。
【請求項２４】
請求項23に記載のエレベータ行先階登録システムにおいて、前記エレベータ運転率および乗客サービスの効率は、
−エレベータの利用率、
−エレベータのエネルギー消費、
−呼び時間、
−待ち時間、および
−移動時間
のうちの少なくとも１つの要素に基づいて決定することを特徴とするエレベータ行先階登録システム。
【請求項２５】
請求項17に記載のエレベータ行先階登録システムにおいて、前記割り当ては数学アルゴリズムを使用して実行することを特徴とするエレベータ行先階登録システム。
【請求項２６】
請求項17に記載のエレベータ行先階登録システムにおいて、前記割り当ては、前記乗客グループ全体をなるべく少ない数のエレベータに配して実行することを特徴とするエレベータ行先階登録システム。
【請求項２７】
請求項17に記載のエレベータ行先階登録システムにおいて、前記グループの規模を制限することを特徴とするエレベータ行先階登録システム。
【請求項２８】
請求項17に記載のエレベータ行先階登録システムにおいて、前記割り当て後に、割り当てたエレベータのうちの１基または複数基を、前記グループが利用するために乗場レベルに確保することを特徴とするエレベータ行先階登録システム。
【請求項２９】
請求項17に記載のエレベータ行先階登録システムにおいて、前記案内の伝達は前記乗客データ端末を用いて行うことを特徴とするエレベータ行先階登録システム。
【請求項３０】
請求項17に記載のエレベータ行先階登録システムにおいて、前記案内の伝達は電光表示板を用いて行うことを特徴とするエレベータ行先階登録システム。
【請求項３１】
請求項17に記載のエレベータ行先階登録システムにおいて、前記案内の伝達はアナウンスを用いて行うことを特徴とするエレベータ行先階登録システム。
【請求項３２】
請求項17に記載のエレベータ行先階登録システムにおいて、ピーク交通状態は前記グループ規模に応じて確認することを特徴とするエレベータ行先階登録システム。